(57)【特許請求の範囲】
【請求項１】
一の回転機械の回転軸に対し、他の回転機械の回転軸を同軸に芯出し、他の回転機械の据付け部を据え付け面に据え付ける際に、
芯出しのために、上記２つの回転軸にそれぞれ設けたカップリングの接合面をカップリングの中心を合わせるように調整して対向配置させて他の回転機械の据え付け部を据え付け面に仮置きした後に、対向する接合面間の間隙量のうち、レベル調整を行う方向で離隔した２箇所の位置での各間隙量を求め、
その２つの間隙量の間隙量差と、当該２つの間隙量を求めた位置の離隔距離と、カップリングから対象とする据付け部までの距離とから、その対象とする据付け部でのレベル調整方向へのレベル誤差を求め、当該求めたレベル誤差で据え付け時のレベル調整を行い、
その際に、表面にＸ−Ｙ座標が表示された表示板と、その表示板に対し上記Ｘ−Ｙ座標の原点で回転可能に軸支され且つ表示板の表面に沿って配置されたスライドバーと、スライドバーに設けられ延長線が上記原点の上を通過する直線と、スライドバーに案内されて当該スライドバーの上記直線に沿って直線的に往復移動可能なカーソルと、カーソルに設けられ中心が上記直線の上に位置する目印と、を備え、上記カーソルによる上記Ｘ−Ｙ座標上の指示位置が視認可能となっていると共に、上記Ｘ−Ｙ座標の一方の座標の目盛りとして、接合面間の間隙量差とレベル調整代の両方を兼ねる目盛りが記載され、上記Ｘ−Ｙ座標の他方の座標の目盛りとして、上記離隔距離とカップリングから対象とする各据付け部までの距離の両方を兼ねる目盛りが記載されている誤差表示器を使用して、
各据付け部でのレベル調整代を個別に求めて、上記レベル調整を行い、
その際に、回転軸方向からみて相対的に据付け部に近い位置の間隙量と遠い位置の間隙量との差である間隙量差の値と上記離隔距離との値となるＸ−Ｙ座標位置に上記目印の中心が位置するように上記スライドバーとカーソルを調整して、スライドバーを固定した後に、
各据付け部毎に、上記目印が、上記他方の座標の目盛りがカップリングから対象とする据付け部までの距離となる位置まで、上記カーソルを移動し、そのときの一方の座標の目盛りによって、据え付け面に対する据付け部のレベル誤差を求めることを個別に行い、当該求めたレベル誤差で据え付け時のレベル調整を行うことを特徴とする芯出し据付け方法。
【請求項２】
一の回転機械の回転軸に対し、他の回転機械の回転軸を同軸に芯出し、他の回転機械の据付け部を据え付け面に据え付ける際に、芯出しのために、上記２つの回転軸にそれぞれ設けたカップリングの接合面をカップリングの中心を合わせるように調整して対向配置させて他の回転機械の据え付け部を据え付け面に仮置きした後に、対向する接合面間の間隙量のうち、レベル調整を行う方向で離隔した２箇所の位置での各間隙量を求め、その２つの間隙量の間隙量差と、当該２つの間隙量を求めた位置の離隔距離と、カップリングから対象とする据付け部までの距離とから、その対象とする据付け部でのレベル調整方向へのレベル誤差を求め、当該求めたレベル誤差で据え付け時のレベル調整を行う際に使用されて、上記レベル誤差を求めるために使用される誤差表示器であって、
表面にＸ−Ｙ座標が表示された表示板と、その表示板に対し上記Ｘ−Ｙ座標の原点で回転可能に軸支され且つ表示板の表面に沿って配置されたスライドバーと、スライドバーに設けられ延長線が上記原点の上を通過する直線と、スライドバーに案内されて当該スライドバーの上記直線に沿って直線的に往復移動可能なカーソルと、カーソルに設けられ中心が上記直線の上に位置する目印と、を備え、上記カーソルによる上記Ｘ−Ｙ座標上の指示位置が視認可能となっていると共に、
上記Ｘ−Ｙ座標の一方の座標の目盛りとして、接合面間の間隙量差とレベル調整代の両方を兼ねる目盛りが記載され、
上記Ｘ−Ｙ座標の他方の座標の目盛りとして、上記離隔距離とカップリングから対象とする各据付け部までの距離の両方を兼ねる目盛りが記載されていることを特徴とする誤差表示器。
【発明の詳細な説明】
【技術分野】
【０００１】
本発明は、駆動用原動機などの回転機械を据え付ける際の芯出し据付け方法、及びその芯出しの際のレベル誤差を求めるための誤差表示器に関する。
なお、据付けは、新たに回転機械を据え付ける場合に限定されず、回転機械の交換や保守のために一度外した回転機械を据え付ける場合も含む。
【背景技術】
【０００２】
ポンプ、圧縮機、減速機等の駆動用原動機の据付け作業においては、例えば減速機等の回転軸と原動機との回転軸とを連結する場合、両回転軸を正確に芯合わせする芯出し作業が極めて重要となる。従来の芯出し作業としては、特許文献１〜３に記載の方法が知られている。
特許文献１には、 駆動側回転軸と被駆動側回転軸にそれぞれ対をなすフランジ（カップリング）を取り付けると共に当該一対のフランジの接合面を対向配置するように仮置きし、少なくとも一方のフランジの軸心から半径方向に離れた位置にダイヤルゲージを固定し、そのダイヤルゲージの測定端部を他方のフランジの対向面に当接させながら、少なくとも一方のフランジを相対回転させて据付け時の芯出しを行う技術が開示されている。
【０００３】
また、特許文献２に記載には、原動機の一つであるサーボモータを対象とした据付け方法が開示されている。
具体的には、サーボモータをピッチ内の壁面に取り付けられたベースプレートに据え付けるに際し、まず操作ロッドとの連結部の位置にサーボモータの芯出しを行った後、そのサーボモータのフランジをベースプレートに据付けボルトにより据付け長さ方向に調整可能な状態で据え付け、次に複数本の調整ネジを用いてサーボモータの据付け長さがその操作に適切な寸法となるように調整しながら上記操作ロッドを連結ピンにてサーボモータに連結し、且つ上記ベースプレートとサーボモータのフランジとの間に存する据付けギャップに対して、上記フランジ周囲部と上記据付けボルトおよび調整ネジの周囲部をシール部材によりシールした状態で充填剤を上記据付けギャップに対しその下方より注入して垂直方向位置決めを行い、その充填剤が硬化した後に上記据付けボルトを締め付けて上記サーボモータを上記ベースプレートに完全に固定する。
【０００４】
また、特許文献３には、ポンプ等の負荷装置の駆動源である原動機を据え付ける専用の装置を使用することにより、原動機を据え付ける際の、原動機の出力軸における軸の芯合わせ（軸芯出し作業）を容易にして、熟練作業を不要とすることが開示されている。
【特許文献１】特開平８−２３２９６８号公報
【特許文献２】特開平６−２１３１３１号公報
【特許文献３】特開２００５−２４９０２８報公報
【発明の開示】
【発明が解決しようとする課題】
【０００５】
特許文献１に記載の方法では、据付け時の芯出しが正確に出来ているかどうかは測定可能である。しかし、芯出しのための駆動側あるいは被駆動側の据付け作業技術が重要であるが、その技術の開示はなく、迅速な据付け・芯出しが行えるとは言いがたい。
また、特許得文献２に記載した方法は、ベースプレートと据付けギャップを充填剤で埋める特殊な方法であることから、一般的に使用することが出来ない欠点がある。
また、特許文献３に記載した方法では、据付け場所に合致する専用装置の作成に、コストと時間が掛かるものとなってしまうおそれがある。
本発明は、上記のような点に着目してなされたもので、簡易な方法で芯出しを実現するとともに、据付けを迅速に行えることを課題としている。
【課題を解決するための手段】
【０００６】
上記課題を解決するために、本発明のうち請求項１に記載した発明は、一の回転機械の回転軸に対し、他の回転機械の回転軸を同軸に芯出し、他の回転機械の据付け部を据え付け面に据え付ける際に、
芯出しのために、上記２つの回転軸にそれぞれ設けたカップリングの接合面をカップリングの中心を合わせるように調整して対向配置させて他の回転機械の据え付け部を据え付け面に仮置きした後に、対向する接合面間の間隙量のうち、レベル調整を行う方向で離隔した２箇所の位置での各間隙量を求め、
その２つの間隙量の間隙量差と、当該２つの間隙量を求めた位置の離隔距離と、カップリングから対象とする据付け部までの距離とから、その対象とする据付け部でのレベル調整方向へのレベル誤差を求め、当該求めたレベル誤差で据え付け時のレベル調整を行い、
その際に、表面にＸ−Ｙ座標が表示された表示板と、その表示板に対し上記Ｘ−Ｙ座標の原点で回転可能に軸支され且つ表示板の表面に沿って配置されたスライドバーと、スライドバーに設けられ延長線が上記原点の上を通過する直線と、スライドバーに案内されて当該スライドバーの上記直線に沿って直線的に往復移動可能なカーソルと、カーソルに設けられ中心が上記直線の上に位置する目印と、を備え、上記カーソルによる上記Ｘ−Ｙ座標上の指示位置が視認可能となっていると共に、上記Ｘ−Ｙ座標の一方の座標の目盛りとして、接合面間の間隙量差とレベル調整代の両方を兼ねる目盛りが記載され、上記Ｘ−Ｙ座標の他方の座標の目盛りとして、上記離隔距離とカップリングから対象とする各据付け部までの距離の両方を兼ねる目盛りが記載されている誤差表示器を使用して、
各据付け部でのレベル調整代を個別に求めて、上記レベル調整を行い、
その際に、回転軸方向からみて相対的に据付け部に近い位置の間隙量と遠い位置の間隙量との差である間隙量差の値と上記離隔距離との値となるＸ−Ｙ座標位置に上記目印の中心が位置するように上記スライドバーとカーソルを調整して、スライドバーを固定した後に、
各据付け部毎に、上記目印が、上記他方の座標の目盛りがカップリングから対象とする据付け部までの距離となる位置まで、上記カーソルを移動し、そのときの一方の座標の目盛りによって、据え付け面に対する据付け部のレベル誤差を求めることを個別に行い、当該求めたレベル誤差で据え付け時のレベル調整を行うことを特徴とする芯出し据付け方法を提供するものである。
上記他の回転機械としては、例えば駆動用原動機が例示できる。  
【０００８】
次に、請求項２に記載した発明は、一の回転機械の回転軸に対し、他の回転機械の回転軸を同軸に芯出し、他の回転機械の据付け部を据え付け面に据え付ける際に、芯出しのために、上記２つの回転軸にそれぞれ設けたカップリングの接合面をカップリングの中心を合わせるように調整して対向配置させて他の回転機械の据え付け部を据え付け面に仮置きした後に、対向する接合面間の間隙量のうち、レベル調整を行う方向で離隔した２箇所の位置での各間隙量を求め、その２つの間隙量の間隙量差と、当該２つの間隙量を求めた位置の離隔距離と、カップリングから対象とする据付け部までの距離とから、その対象とする据付け部でのレベル調整方向へのレベル誤差を求め、当該求めたレベル誤差で据え付け時のレベル調整を行う際に使用されて、上記レベル誤差を求めるために使用される誤差表示器であって、
表面にＸ−Ｙ座標が表示された表示板と、その表示板に対し上記Ｘ−Ｙ座標の原点で回転可能に軸支され且つ表示板の表面に沿って配置されたスライドバーと、スライドバーに設けられ延長線が上記原点の上を通過する直線と、スライドバーに案内されて当該スライドバーの上記直線に沿って直線的に往復移動可能なカーソルと、カーソルに設けられ中心が上記直線の上に位置する目印と、を備え、上記カーソルによる上記Ｘ−Ｙ座標上の指示位置が視認可能となっていると共に、
上記Ｘ−Ｙ座標の一方の座標の目盛りとして、接合面間の間隙量差とレベル調整代の両方を兼ねる目盛りが記載され、
上記Ｘ−Ｙ座標の他方の座標の目盛りとして、上記離隔距離とカップリングから対象とする各据付け部までの距離の両方を兼ねる目盛りが記載されていることを特徴とするものである。
【発明の効果】
【０００９】
本発明によれば、簡易な方法で芯出しを実現するとともに、据え付けのためのレベル調整を容易に行うことが出来るようになる。
【発明を実施するための最良の形態】
【００１０】
次に、本発明の実施形態について図面を参照しつつ説明する。
まず、誤差表示器の構成について説明する。
図１は、誤差表示機の表面を示す平面図、図２は側面図、図３は、カーソル周りの部分拡大図である。
図１に示すように、平板状の表示板１の表面には、Ｘ−Ｙ座標２が表示され、縦軸の目盛りとして、カップリング面間の間隙量差である寸法差、及びライナー代（レベル誤差）となる値が等間隔に表示されている。また、横軸の目盛りとして、カップリングの外径（離隔距離）、及びカップリング中心から据付け部までの距離に対応する値が、等間隔に表示されている。なお、Ｘ−Ｙ座標２は直交座標である必要はない。
【００１１】
また、上記Ｘ−Ｙ座標２の原点に対して、スライドバー３が回転自在に軸支されている。スライドバー３は、透明アクリルからなって上側からＸ−Ｙ座標２が視認可能となっていると共に、中央に、赤字などで表示された直線４が設けられている。
符号６はゴムリングであって、スライドバー３を表示板１から若干、浮かした状態に維持している。
【００１２】
また、上記スライドバー３の遠位端部にはストッパ７が設けられている。ストッパ７は、例えばクリップ状の部品から構成されて、表示板１の端を挟み込むことでスライドバー３を所望の傾斜位置で仮固定するものである。ストッパ７の機構は、これに限定されない。例えば、表示板１と対向する面の摩擦係数が大きなゴムなどで構成し、ストッパ７を表示板１に向けて指などで押し付けることで、スライドバー３を仮固定できるようになっていても良い。
また、上記スライドバー３には、カーソル５が摺動可能に支持されている。そのカーソル５は、スライドバー３に案内されて直線移動可能となっている。
【００１３】
カーソル５は、図３に示すように、スライドバー３に支持される枠体５ａと、その枠体５ａに嵌め込まれた凸レンズ５ｂとを備える。上記凸レンズ５ｂは、スライドバー３の上方に位置し、その凸レンズ５ｂには、上記スライドバー３の直線４の上に中心が位置する十字の線が目印８として引かれている。その十字の中心が指示位置となる。凸レンズ５ｂは、指示位置を拡大して視認しやすくするものである。
なお、指示位置は、スライドバー３やカーソル５の中央位置に設定する必要は無い。本実施形態では、スライドバー３の左右両側面の輪郭が直線に形成されているので、その直線上の特定位置を指すように、その直線とカーソル５に設ける目印を交差させるようにして、座標上の指示位置を特定できるようにしても良い。
【００１４】
また、上記枠体５ａにおけるスライドバー３の側面と対向する位置には、当該スライドバー３に向けて付勢されている板バネ５ｃが設けられている。この板バネ５ｃによって、スライドバー３に対する揺動を抑えてカーソル５の位置決めを確実に行えるようにすると共に、スライドバー３となじみ易くして、当該スライドバー３に沿って移動しやすくしている。
符号５ｄは滑り止めであって、この滑り止め５ｄを指などで操作してカーソル５を移動させればよい。
また、上記表示板１の裏面には、図４に示すように、この誤差表示器の使用例が表示されている。
【００１５】
次に、上記誤差表示器の使用例について説明する。
なお、レベル調整方向が上下方向で、カップリング外径を離隔距離として使用した場合の例である。
上記構成の誤差表示器は、裏面の使用方法に則り、先に設置されている回転機械の回転軸（以下、非据え付け側の回転軸を第１の回転軸とも呼ぶ）に設けたカップリングと、据え付ける予定の回転機械の回転軸（以下、据え付け側の回転軸を第２の回転軸とも呼ぶ）に設けたカップリングにおける、両者の接合面を対向するように仮置きしたときの、例えば、カップリング上端位置での両接合面間の間隙量と、カップリング下端位置での両接合面間の間隙量を計測し、その両間隙量の間隙量差（面間の寸法差）を算出する。
【００１６】
そして、縦軸の目盛りから上記間隙量差の値を選択し、横軸の目盛りから上記カップリングの外径（離隔距離）を選択してその交点を特定し、スライドバー３の直線がその交点位置を通過するように、スライドバー３の傾きを変更調整して、その位置でスライドバー３を固定する。
次に、回転軸方向における、第１の回転軸側のカップリング接合面と据付け部位置（例えば、据付け部の中央位置やボルト穴位置を基準とする）までの距離を据付け離間距離と呼ぶとすると、横軸の目盛りが当該据付け離間距離となる位置まで、カーソル５を移動して十字の中心を合わせ、そのときの縦軸の目盛りが、レベル調整代（レベル誤差）となる。これを据付け部単位に行う。
なお、上記のように縦軸側の値の方が小さいので、横軸よりも縦軸の１目盛りの単位を小さく設定しておく。
【００１７】
次に、回転機械の芯出し据え付け作業を説明する。
本実施形態では、図５に示すように、回転機械として、減速機１０の入力軸１１（第１の回転軸）に、原動機である電動機１２の出力軸１３（第２の回転軸）を芯出しして連結すると共に、当該電動機１２の据付け部である台座１４を据付け面１８に据え付ける場合を例にして説明する。
先に出力軸１３に取り付けたカップリング１５の接合面からの各据付け部Ｘ、Ｙ（台座）までの距離Ｌ１、Ｌ２を予め測定しておく。なお、カップリング１５，１６の径としては、予め測定したり、カタログに載っている諸元を使用したりすればよい。
【００１８】
そして、固定されている減速機１０の入力軸１１に設けたカップリング１６と、電動機１２の出力軸１３に設けたカップリング１５とが対向するように、芯合わせをして電動機１２を仮置き（例えば、据付け部をボルトで仮止め）する。このとき、入力軸１１の軸線Ｓ１に出力軸１３側のカップリングの中心を合わせるように調整して設置する。
なお、カップリング１５，１６の接合面は、回転軸に直交する面を形成している。そして、カップリング１５，１６の外径に対するカップリング１５，１６間の上下の間隙差は、上記軸線Ｓ１に対する電動機１２の軸線Ｓ２の傾きと同じである。
【００１９】
まず、上下方向のレベル調整作業を行う。それを次に記載する。
上記仮置きの状態で、カップリング１５，１６外周における、最下端部でのカップリング接合面間の間隙量と、最上部端部での間隙量を、スケール、スキミゲージ、ダイヤルゲージなどを利用して計測し、その上下の間隙量の差（寸法差）を求める。カップリング１５，１６の外径（離隔距離）に対するこの間隙量差が、入力軸１１に対する、電動機１２の軸の上下方向の傾き、すなわち上下方向のレベル誤差であるので、この上下方向のレベル誤差分だけ、各据付け部のレベル調整をした後、据付け部を据え付け面にボルト等で正式に固定する。
【００２０】
本実施形態では、上記誤差表示器を使用してレベル誤差を求める。
すなわち、誤差表示器を使用して、縦軸の目盛りとして上記間隙量差の値を取り、横軸の目盛りとして上記カップリング１５，１６の外径を取って、その交点を通過するように、スライドバー３の傾きを調整して固定する。
ここで、上下の間隙量を測定した位置の距離がカップリング１５，１６の外径に等しい場合で説明しているが、離隔距離は、別にカップリング１５，１６の外径と異なっていても良い。例えば、上下の間隙量を計測する各位置を結ぶ線分がカップリング１５，１６の中心を通過しない位置で測定した場合には、上下の測定位置の距離を別途、ゲージ等を使用して測定して離隔距離を求めて横軸の目盛りを取る。カップリング１５、１６の中心を通過するように取った場合でも、その上下の距離を実測しても勿論、構わない。
【００２１】
次に、横軸の目盛りが据付け部までの据付け離間距離Ｌ１，Ｌ２となるように、カーソル５を動かし、そのカーソル５位置での縦軸を見ることで、その据付け部位置でのレベル誤差が簡単に分かる。各据付け部毎にそれぞれカーソル５を動かして、各据付け位置のレベル誤差を個別に求める。
なお、カップリン接合面に対する左右の据付け部の距離は同じであるので、同じだけレベル調整すれば良い。
【００２２】
例えば、カップリング寸法が200ｍｍの場合、200ｍｍでカップリング面間距離の上下位置の寸法差が0.5ｍｍの場合に、図１のように、スライドバー３を傾ける。この傾けた状態をロックして、台座Ｘが例えば600ｍｍ離れているとすれば、横軸の目盛りが600ｍｍ位置にカーソル５を移動して縦軸の目盛り（1.5ｍｍ）を読めば、図６のように、Ｘ位置で1.5ｍｍの厚みを有するライナー２０を台座１４と基礎１８の間にスペーサとして差し込んで固定すれば垂直方向の関係を保つことが出来ることが分かる。同様に、台座Ｙについても求めたレベル誤差の厚みを有するライナー２１を台座１４と基礎１８との間に差し込んでレベル調整を行う。このように、誤差表示器から簡易に求められた各取付け部位置でのレベル誤差だけ、個々の取付け部位置でレベル調整することで、垂直方向の精確な位置決めが行われる。なお、基礎１８の表面が据付け面となる。
【００２３】
このように、各据付け部位置で読み取った厚みを有するライナー２０，２１を作成し、セットして基礎１８（据付け面）に電動機１２を固定することで上下方向の位置決め完了する。ここで、カップリング面間距離の上下方向のレベル調整は、当業者にとって調整が難しく熟練が必要と認識されている。それが、誤差表示器を使用することで簡易にレベル調整代を求めることが可能となり、必ずしも熟練を要しない。
上記調整で、据付け部に相対的に近い位置と遠い位置の間隙量を使用したレベル調整、つまり、据付け面と据付け部との間の対向方向でのレベル調整が行われる。
【００２４】
次に、水平方向のレベル調整を行う。
ここで、水平方向の位置決めについても、カップリング面間の横方向への傾きも横方向の面間差で求まるが、電動機１２を単に横方向に振らすだけで修正可能である為、熟練を要しない。したがって横方向の芯出しには、必ずしも上記誤差表示器を使用する必要がない。
もっとも、横方向の芯出しについても誤差表示器を使用しても良い。この場合には、横方向の二カ所での間隙差を使用して、上記と同様にして各据付け部位置でのレベル誤差を簡易に求めることが出来る。
【００２５】
ここで、上記実施形態では、据付け面の上に据付け部（台座）を据え付ける場合を例示したが、これに限定されない。例えば、天井面や壁面を据付け面として、据え付ける場合であっても適用可能である。
また、上記実施形態は、駆動側の回転機械を据え付ける場合で例示しているが、非駆動側の回転機械を据える付ける場合であっても適用可能である。また、回転機械は、特に電動機に限定されず、油圧・空圧のポンプやモータ等の回転機械であっても適用可能である。
【図面の簡単な説明】
【００２６】
【図１】本発明に基づく実施形態に係る誤差表示器の表面を示す平面図である。
【図２】本発明に基づく実施形態に係る誤差表示器の側面図である。
【図３】本発明に基づく実施形態に係るカーソル部分を示す部分拡大図であって、（ａ）は平面図、（ｂ）は側面図である。
【図４】本発明に基づく実施形態に係る誤差表示器の裏面を示す平面図である。
【図５】回転機械を仮置きした状態を示す図である。
【図６】上下方向のレベル調整した状態を示す図である。
【符号の説明】
【００２７】
１  表示板
２  Ｘ−Ｙ座標
３  スケールバー
４  直線
５  カーソル
７  ストッパ
１０  減速機
１１  入力軸
１２  電動機
１３  出力軸
１５、１６  カップリング
１４  台座（据付け部）
１８  基礎（据付け面）
【図１】
0005234883.tif 000002
【図２】
0005234883.tif 000003
【図３】
0005234883.tif 000004
【図４】
0005234883.tif 000005
【図５】
0005234883.tif 000006
【図６】
0005234883.tif 000007